(57)【要約】      （修正有）【課題】装飾対象であるボトルの首にボウをより安定的に保持することを可能にする装飾用造花を提供する。【解決手段】装飾用造花１０は、リボン片１２の両端部１２ａ、１２ｂを蝶結びにしてなる、ループ１４ａを有するボウ１４と、ボウの結び目１６に通されループに取り囲まれたゴム輪１８とを備える。好ましくは、リボン片の一方の端部は結び目を経て伸びかつループに連なる。【選択図】図１
0003214722.tif 000002
【実用新案登録請求の範囲】
【請求項１】
リボン片の両端部を蝶結びにしてなる、ループを有するボウと、
前記ボウの結び目に通され前記ループに取り囲まれたゴム輪とを備える、装飾用造花。
【請求項２】
前記リボン片の一方の端部は前記結び目を経て伸びかつ前記ループに連なる、請求項1に記載の装飾用造花。
【考案の詳細な説明】
【技術分野】
【０００１】
本考案は、液体商品の包装であるボトルの装飾に用いられる装飾用造花に関する。
【背景技術】
【０００２】
従来、リボン片の両端部を蝶結びにしてなる、ループを有するボウを装飾用造花としたものが提案されている。この装飾用造花はそのループにおいてボトルの首（ネック）に掛けられ、そのボウによる装飾効果が得られる。
【０００３】
また、この装飾用造花においては、前記リボン片の一方の端部が前記結び目を経て伸びかつ前記ループに連なっている。これによれば、前記一方の端部を引くことにより前記ループの輪を縮めることができ、これにより、前記ボトルの首の周りの任意の位置にボウを保持した状態におくことができる。しかし、この保持状態は比較的不安定であり、前記ボウの保持位置は他の物との接触により比較的容易に変わり、所期の装飾効果が損なわれる。
【先行技術文献】
【特許文献】
【０００４】
【特許文献１】実用新案登録第３１８９９７３号公報
【考案の概要】
【考案が解決しようとする課題】
【０００５】
本考案の目的は、装飾対象であるボトルの首にボウをより安定的に保持することを可能にする装飾用造花を提供することにある。
【課題を解決するための手段】
【０００６】
本考案に係る装飾用造花は、リボン片の両端部を蝶結びにしてなる、ループを有するボウと、該ボウの結び目に通され前記ループに取り囲まれたゴム輪とを備える。
【０００７】
本考案によれば、装飾用造花はそのゴム輪を装飾対象であるボトルの首に巻き付けることにより前記ボトルの首に取り付けることができる。このとき、前記装飾用造花のボウは、前記ボトルの首に巻き付けられたゴム輪が前記ボトルの首に及ぼす弾性復帰力により、前記ボトルの首の周囲の任意の位置において、また、前記ボトルの首の任意の高さ位置において、比較的安定的に保持される。また、前記ゴム輪はその周囲を取り囲むループにより覆うことができる。
【０００８】
前記リボン片の一方の端部は、前記結び目を経て伸びかつ前記ループに連なるものとすることができる。これによれば、前記リボン片の一方の端部を引きあるいは前記ループの一部を引いて、前記リボンを前記結び目に対して相対移動させることができる。これにより、前記ループの輪の大きさをボトルの首の太さに適合させることができ、これにより、前記ループを前記ゴム輪に密接させ、前記ゴム輪の被覆効果をより高めることができる。
【図面の簡単な説明】
【０００９】
【図１】本考案の一実施態様に係る装飾用造花の斜視図である。
【図２】ボトルとその首に取り付けられた装飾用造花とを示す斜視図である。
【図３】図１に示す装飾用造花の形成手順の最初の状態にあるリボン片の斜視図である。
【図４】装飾用造花の形成手順の途中の状態にあるリボン片の斜視図である。
【図５】装飾用造花を形成手順の最後の状態にあるリボン片の斜視図である。
【考案を実施するための形態】
【００１０】
図１を参照すると、本考案の一実施形態に係る装飾用造花が全体に符号１０で示されている。
【００１１】
装飾用造花１０は、リボン片１２の両端部１２ａ、１２ｂを蝶結びにしてなるボウ１４と、ボウ１４の結び目１６に通されたゴム輪１８とを備える。
【００１２】
ボウ１４は、結び目１６において互いに結び合わされたループ１４ａと一対のループ状の羽根１４ｂ及び一対の垂れ１４ｃとを有する。一対の垂れ１４ｃは、それぞれ、リボン片１２の両端部１２ａ、１２ｂからなる。
【００１３】
図２に示すように、装飾用造花１０は、液体商品の包装容器であるボトル２０（図２）の装飾のために、ボウ１４のループ１４ａ及びゴム輪１８において、ボトル２０の首（ネック）２０ａに掛けられる。ボトル２０に対する装飾作用は、主に装飾用造花１０のボウ１４が担う。
【００１４】
図示のボウ１４にあっては、一方の垂れ１４ｃを構成するリボン片１２の一方の端部１２ａが結び目１６を経て伸びかつループ１４ａに連なっている。このことから、一方の垂れ１４ｃを引いてループ１４ａの一部を結び目１６から引き出すことによりループ１４ａの輪を狭め、あるいは、ループ１４ａを引いて垂れ１４ｃの一部を引き込むことによりループ１４ａの輪を広げることができる。これにより、ループ１４ａの輪の大きさを装飾対象であるボトル２０の首２０ａの太さに合わせることができる。引き出された垂れ１４ｃが長すぎるときはその一部を切断することができる。
【００１５】
ゴム輪１８は装飾対象であるボトル２０の首２０ａの太さより小さい大きさ（直径）を有するものが選択される。ゴム輪１８は、装飾用造花１０（より正確にはボウ１４）がボトル２０の首２０ａに掛けられるとき、ボトル２０の首２０ａに巻き付けられボトル２０の首２０ａに弾性復帰力を及ぼす。このことから、ボトル２０の首２０ａの周囲の任意の位置、また、ボトル２０の首２０ａの任意の高さ位置に、ボウ１４をこれが簡単に移動しないように比較的安定的に保持することができる。このとき、ゴム輪１８はその周囲を取り囲むループ１４ａにより覆われ、表に出ないようにされる。
【００１６】
結び目１６に対して相対移動可能である一方の垂れ１４ｃ及びループ１４ａを有する図示のボウ１４は、次のようにして形成することができる。
【００１７】
まず、図３に示すように、リボン片１２の一方の端部１２ａを含む該リボン片１２の一部２２をリング状に湾曲させる。このリング状の一部２２がループ１４ａとなる。次いで、リボン片１２の他端部１２ｂを含むリボン片１２の他の一部２４を折り返す。引き続き、リボン片１２の他端部１２ｂを、２つの断続する矢印Ａで示すように、リング状の一部２２に通す。
【００１８】
これにより、図４に示すように、リボン片１２のリング状の一部２２及び他の一部２４の双方を部分的に取り巻く結び目１６を形成する。この結び目１６の形成に先立ち、ゴム輪１８をリボン片１２の他端部１２ｂから他の一部２４に通しておく。これにより、ゴム輪１８が通された結び目１６を形成する。
【００１９】
次いで、リボン片１２の他端部１２ｂを折り曲げ（符号２６が示す折り曲げ箇所を参照）、矢印Ｂで示すように、折り曲げられた他端部１２ｂを結び目１６に通す。これにより、ループ状の一対の羽根１４ｂ及び一対の垂れ１４ｃが形作られる（図４）。
【００２０】
最後に、一対の羽根１４ｂを互いに反対方向へ引張る。これにより、固く結び合わされたボウ１４が形成され、装飾用造花１０が得られる。但し、ボウ１４は、その一方の垂れ１４ｃ及びループ１４ａが結び目１６に対して相対移動をしないように形成されたものとすることができる。このようなボウは、従来周知の蝶結びの手法を用いて得ることができる。
【符号の説明】
【００２１】
１０  装飾用造花
１２  リボン片
１２ａ  リボン片の一方の端部
１４  ボウ
１４ａ  ループ
１４ｂ  羽根
１４ｃ  垂れ
１６  結び目
１８  ゴム輪
２０  ボトル
２０ａ  ボトルの首
【図１】
0003214722.tif 000003
【図２】
0003214722.tif 000004
【図３】
0003214722.tif 000005
【図４】
0003214722.tif 000006
【図５】
0003214722.tif 000007